(57)【要約】【課題】フィルタを吸着剤室にセットしてから溶着するまでの間におけるフィルタの位置ずれを防止する。【解決手段】キャニスタ１０は、吸着剤室１８が設けられたキャニスタケース１２と、キャニスタケース１２の吸着剤室１８に収容された吸着剤２７と、吸着剤室１８の底壁１６に設けられたポートと吸着剤室との間に設けられたフィルタ２８とを備える。フィルタ２８が吸着剤室１８の底壁１６に溶着される。底壁１６に対するフィルタ２８の溶着に際して、吸着剤室１８内にフィルタ２８が遊嵌される構成とする。吸着剤室１８内には、フィルタ２８が遊嵌されたときにフィルタ２８を仮止めするリブ状のフィルタ用仮止め突起４２が設けられる。【選択図】図８
2010007573.tif 000002
【特許請求の範囲】
【請求項１】
吸着剤室が設けられたキャニスタケースと、
前記キャニスタケースの吸着剤室に収容された吸着剤と、
前記吸着剤室の端壁に設けられたポートと前記吸着剤室との間に設けられたフィルタと
を備え、
前記フィルタが前記吸着剤室の端壁に溶着されるキャニスタであって、
前記端壁に対する前記フィルタの溶着に際して、前記吸着剤室内に前記フィルタが遊嵌される構成とし、
前記吸着剤室内には、前記フィルタが遊嵌されたときに該フィルタを仮止めするフィルタ用仮止め突起が設けられている
ことを特徴とするキャニスタ。
【請求項２】
請求項１に記載のキャニスタであって、
前記フィルタ用仮止め突起が、前記吸着剤室の内壁面に軸方向に沿って延びるリブ状に形成されていることを特徴とするキャニスタ。
【請求項３】
請求項２に記載のキャニスタであって、
前記フィルタ用仮止め突起が、前記吸着剤室の内壁面に対する突出量を端壁側から開口側に向かって次第に低くする勾配の傾斜面を有していることを特徴とするキャニスタ。
【発明の詳細な説明】
【技術分野】
【０００１】
本発明は、自動車等のエンジンの燃料系に生じる蒸発燃料を吸着・離脱して処理するキャニスタに関する。
【背景技術】
【０００２】
キャニスタの従来例としては、同一出願人が先に提案した特許文献１に記載されたものがある。このキャニスタは、吸着剤室が設けられたキャニスタケースと、キャニスタケースの吸着剤室に収容された吸着剤と、吸着剤室の端壁に設けられたポートと吸着剤室との間に設けられたフィルタとを備えている。フィルタが吸着剤室の端壁に溶着されている。
【０００３】
【特許文献１】特開２０００−１８６６３５号公報
【発明の開示】
【発明が解決しようとする課題】
【０００４】
前記従来例のキャニスタにおいて、キャニスタケースに対するフィルタの組付手順としては、吸着剤室内にフィルタがセットされた後、フィルタが吸着剤室の端壁に溶着されることになる。ところで、吸着剤室内にフィルタを適正にセットしやくするため、フィルタを吸着剤室内に遊嵌させている。したがって、フィルタが吸着剤室にセットされてから溶着するまでの間でフリー状態になるため、フィルタが静電気等により浮き上がり、位置ずれするおそれがあった。そして、フィルタが位置ずれすると、フィルタの組付不良が発生したり、自動ラインにおける管理の煩雑化を余儀なくされたりする。なお、フィルタの組付不良が甚だしいと、吸着剤がポート側にこぼれ出るため好ましくない。また、吸着剤室内にフィルタを圧入することにより、位置ずれを防止することも考えられるが、これではフィルタの周縁部にめくれが生じ、めくれによる組付不良を招くことから好ましくない。
本発明が解決しようとする課題は、フィルタを吸着剤室にセットしてから溶着するまでの間におけるフィルタの位置ずれを防止することのできるキャニスタを提供することにある。
【課題を解決するための手段】
【０００５】
前記課題は、特許請求の範囲の欄に記載された構成を要旨とするキャニスタにより解決することができる。
すなわち、特許請求の範囲の請求項１に記載されたキャニスタによると、キャニスタケース内の吸着剤室の端壁に対するフィルタの溶着に際して、吸着剤室内にフィルタが遊嵌されたときに、フィルタ用仮止め突起によりフィルタが仮止めされる。したがって、フィルタを吸着剤室にセットしてから溶着するまでの間におけるフィルタの位置ずれを防止することができる。このことは、フィルタの組付不良の低減、自動ラインにおける管理の容易化に有効である。
【０００６】
また、特許請求の範囲の請求項２に記載されたキャニスタによると、フィルタ用仮止め突起が、吸着剤室の内壁面に軸方向に沿って延びるリブ状に形成されている。このため、吸着剤室内にフィルタが遊嵌されるときに、フィルタ用仮止め突起にフィルタの周縁部が弾性的に接触した状態でセット位置までフィルタを容易に水平移動させることができる。
【０００７】
また、特許請求の範囲の請求項３に記載されたキャニスタによると、フィルタ用仮止め突起が、吸着剤室の内壁面に対する突出量を端壁側から開口側に向かって次第に低くする勾配の傾斜面を有している。このため、フィルタの周縁部をフィルタ用仮止め突起の傾斜面によりスムーズに弾性変形させることができる。
【発明を実施するための最良の形態】
【０００８】
以下に本発明を実施するための最良の形態を図面を用いて説明する。
【実施例】
【０００９】
本発明の一実施例を図面に基づいて説明する。図１はキャニスタを示す正断面図である。説明の都合上、キャニスタの概要を説明した後、要部の構成について説明する。なお、キャニスタについては、図１の状態を基準として上下左右を定め、図１において紙面表裏方向を前後方向と定める。
図１に示すように、キャニスタ１０は、樹脂製のキャニスタケース１２を備えている。キャニスタケース１２は、上面を開放する有底筒状のケース本体１３と、ケース本体１３の上面開口部を閉鎖するカバープレート１４とにより構成されている。なお、図２はケース本体を示す正断面図、図３は同じく平面図である。
【００１０】
図３に示すように、前記ケース本体１３は、角筒状の周壁１５を構成する前側の側壁部１５ａと、後側の側壁部１５ｂと、左側の側壁部１５ｃと、右側の側壁部１５ｄと、端壁としての底壁１６とを有している（図２参照）。なお、周壁１５は、底壁１６側から上方に向かって次第に緩やかに拡開する角錐筒状をなしている。
【００１１】
図２に示すように、前記底壁１６上には、前記ケース本体１３内を左側の第１の吸着剤室１７及び第２の吸着剤室１８に区画する隔壁２０が形成されている。第１の吸着剤室１７の底壁１６上には、その吸着剤室１７の下部を左右２つの分室１７ａ，１７ｂに区画する仕切壁２１が形成されている。また、ケース本体１３の底壁１６の下側には、左右方向に並ぶタンクポート２３、パージポート２４、大気ポート２５が突出されている。タンクポート２３は、第１の吸着剤室１７の左側の分室１７ａと室外とを連通している。また、パージポート２４は、第１の吸着剤室１７の右側の分室１７ｂと室外とを連通している。また、大気ポート２５は、第２の吸着剤室１８と室外とを連通している。
【００１２】
図１に示すように、前記ケース本体１３の両吸着剤室１７，１８内には、燃料タンク内で発生する蒸発燃料を吸着するための吸着剤２７がそれぞれ充填されている。吸着剤２７には、例えば粒状の活性炭が用いられている。また、ケース本体１３の底壁１６と第１の吸着剤室１７の左側の分室１７ａとの間、その底壁１６と第１の吸着剤室１７の右側の分室１７ｂとの間、その底壁１６と第２の吸着剤室１８との間には、それぞれ通気性を有するシート状のフィルタ２８が介在されている。また、第２の吸着剤室１８内には、該吸着剤室１８内の吸着剤２７を上下に仕切る通気性を有するバッファプレート３０が水平状態で上下動可能に嵌合されている。なお、底壁１６は本明細書でいう「端壁」に相当する。
【００１３】
前記両吸着剤室１７，１８の上面開口部には、通気性を有する押圧プレート３１がそれぞれ水平状態で上下動可能に嵌合されている。それぞれの押圧プレート３１と前記カバープレート１４との間には、各押圧プレート３１を弾性的に押さえるスプリング３２が介在されている。しかして、両吸着剤室１７，１８は、前記カバープレート１４と前記隔壁２０との間の隙間を通じて相互に連通されている。なお、両吸着剤室１７，１８における押圧プレート３１と吸着剤２７との間には、それぞれ通気性を有するシート状のフィルタ３４が介在されている。
【００１４】
次に、前記キャニスタ１０における要部の構成、すなわち、キャニスタケース１２のケース本体１３に対するフィルタ２８の組付構造について説明する。
ケース本体１３における第１の吸着剤室１７の各分室１７ａ，１７ｂ及び第２の吸着剤室１８に対するそれぞれのフィルタ２８の組付構造は同一構成であるから、第２の吸着剤室１８に対するフィルタ２８の組付構造について説明し、第１の吸着剤室１７の各分室１７ａ，１７ｂに対するフィルタ２８の組付構造についての説明は省略する。なお、図４は図３のIV部を示す平面図、図５は図４のV−V線矢視断面図である。
【００１５】
前記第２の吸着剤室１８の周壁（符号、３６を付す）は、ケース本体１３の周壁１５における右側の側壁部１５ｄと、隔壁２０と、周壁１５の前後両側の側壁部１５ａ，１５ｂにおける右側の側壁部１５ｄと隔壁２０との間の壁部分とにより四角筒状に形成されている。なお、前記第１の吸着剤室１７の左側の分室１７ａの周壁（符号省略）は、ケース本体１３の周壁１５における左側の側壁部１５ｂと、仕切壁２１と、周壁１５の前後両側の側壁部１５ａ，１５ｂにおける左側の側壁部１５ｂと仕切壁２１との間の壁部分とにより四角筒状に形成されている。また、第１の吸着剤室１７の右側の分室１７ｂの周壁（符号省略）は、ケース本体１３における仕切壁２１と、隔壁２０と、周壁１５の前後両側の側壁部１５ａ，１５ｂにおける仕切壁２１と隔壁２０との間の壁部分とにより四角筒状に形成されている。
【００１６】
図４及び図５に示すように、前記第２の吸着剤室１８の底壁１６の外周部には、外周側から内周側へ順に、環状平坦部３７、溶着用環状突起３８、環状溝部３９、支持用環状突起４０が多重環状に形成されている。図５に示すように、溶着用環状突起３８は、環状平坦部３７より上方へ突出されている。溶着用環状突起３８は断面台形状に形成されており、その環状突起３８の外周面にテーパ状面３８ａが形成されている。また、支持用環状突起４０の上端面は、環状平坦部３７と同一平面をなしている。環状溝部３９は、溶着用環状突起３８と支持用環状突起４０との間において断面Ｕ字溝状に形成されている。
【００１７】
前記周壁３６の左右の両内壁面には、前後一対をなすフィルタ用仮止め突起４２が左右対称状に形成されている（図２及び図３参照）。フィルタ用仮止め突起４２は、第２の吸着剤室１８の底部において周壁３６の内壁面に軸方向（図５において上下方向）に沿って延びるリブ状に形成されている。フィルタ用仮止め突起４２は、横断面三角状に形成されている（図４参照）。図５に示すように、フィルタ用仮止め突起４２の下部における周壁３６の内壁面に対する突出量（高さ）４２ｈは、前記フィルタ２８の周縁部が弾性的に接触可能な大きさに設定されている。また、フィルタ用仮止め突起４２の上部には、周壁３６の内壁面に対する突出量（高さ）４２ｈを下側（底壁１６側）から上側（開口側）に向かって次第に低くする勾配の傾斜面４２ａが形成されている。
【００１８】
図４及び図５に示すように、前記フィルタ２８は、前記第２の吸着剤室１８の周壁３６の内形形状より少し小さい相似形の外形形状に形成されている。これにより、フィルタ２８を第２の吸着剤室１８の周壁３６内に遊嵌可能となっている。また、フィルタ２８の周縁部は、前記フィルタ用仮止め突起４２の先端部（突出端部）に弾性的に接触可能となっている。
また、前記ケース本体１３は、例えばＰＡ６６ナイロン樹脂により形成されている。また、前記フィルタ２８は、例えばポリエステル繊維とレーヨン繊維との混合繊維からなる不織布により形成されている。
【００１９】
次に、ケース本体１３に対するフィルタ２８の組付手順について説明する。なお、図６はケース本体に対するフィルタのセット中の状態を示す断面図、図７はケース本体に対するフィルタのセット完了状態を示す平面図、図８は図７のVIII−VIII線矢視断面図、図９はケース本体に対するフィルタの溶着中の状態を示す断面図、図１０はケース本体に対するフィルタの溶着完了状態を示す断面図である。
【００２０】
まず、図６に示すように、第２の吸着剤室１８（詳しくは周壁３６）内にフィルタ２８を遊嵌する。このとき、自動ラインにあっては、フィルタ２８は、負圧を利用した吸引装置（図示しない）の吸盤４４に吸い付けられた状態で、第２の吸着剤室１８の上方から下方へ水平移動されて底壁１６の溶着用環状突起３８上にセットされる。なお、吸盤４４には、下面に開口する多数の吸気孔４４ａが形成されており、吸気孔４４ａに作用する負圧により吸盤４４の下面にフィルタ２８に吸い付けられる。
【００２１】
これとともに、フィルタ用仮止め突起４２に対してフィルタ２８の周縁部がその弾性変形を利用して弾性的に接触する。これにより、フィルタ２８がフィルタ用仮止め突起４２により仮止めされる。その後、フィルタ２８に対する負圧が解除され、吸盤４４が第２の吸着剤室１８外へ退出される（図７及び図８参照）。
【００２２】
続いて、超音波等の振動溶着装置（図示しない）の溶着ホーン４６を第２の吸着剤室１８の上方から下方へ水平移動させることによりフィルタ２８上に押し当てる（図９参照）。この状態で、溶着ホーン４６に超音波振動が付与されることにより、フィルタ２８の周辺部が底壁１６の溶着用環状突起３８に溶着される。このとき、溶着用環状突起３８は、テーパ状面３８ａの作用で環状溝部３９側に倒れるため、溶着時に発生するバリが環状溝部３９に収容される。これとともに、フィルタ２８が支持用環状突起４０に接合されることにより、環状溝部３９が密閉される。その後、溶着ホーン４６に対する超音波振動が停止され、該溶着ホーン４６が第２の吸着剤室１８外へ退出される（図１０参照）。また、上記と同様にして、第１の吸着剤室１７の各分室１７ａ，１７ｂにもそれぞれフィルタ２８が組付けられる。
【００２３】
上記のようにして、ケース本体１３に対するフィルタ２８の組付けが完了する。なお、このケース本体１３には、図１に示すように、各吸着剤室１７，１８内に吸着剤２７が充填されるとともに、バッファプレート３０、押圧プレート３１、スプリング３２、フィルタ３４等が装備された後、ケース本体１３の上面開口部がカバープレート１４で閉鎖されることにより、キャニスタ１０が完成する。
【００２４】
上記したキャニスタ１０によると、キャニスタケース１２内の第２の吸着剤室１８の底壁１６に対するフィルタ２８の溶着に際して、第２の吸着剤室１８の周壁３６内にフィルタ２８が遊嵌されたときに、フィルタ用仮止め突起４２によりフィルタ２８が仮止めされる（図７及び図８参照）。したがって、フィルタ２８を第２の吸着剤室１８にセットしてから溶着するまでの間におけるフィルタ２８の位置ずれを防止することができる。このことは、フィルタ２８の組付不良の低減、自動ラインにおける管理の容易化に有効である。
【００２５】
また、フィルタ用仮止め突起４２が、第２の吸着剤室１８の内壁面に軸方向（図８において上下方向）に沿って延びるリブ状に形成されている。このため、吸着剤室内にフィルタ２８が遊嵌されるときに、フィルタ用仮止め突起４２にフィルタ２８の周縁部が弾性的に接触した状態でセット位置までフィルタ２８を容易に水平移動させることができる。
【００２６】
また、フィルタ用仮止め突起４２が、第２の吸着剤室１８の内壁面に対する突出量４２ｈを底壁１６側から開口側に向かって次第に低くする勾配の傾斜面４２ａを有している（図５参照）。このため、フィルタ２８の周縁部をフィルタ用仮止め突起４２の傾斜面４２ａによりスムーズに弾性変形させることができる。
【００２７】
［フィルタ用仮止め突起４２の変更例］
前記実施例におけるフィルタ用仮止め突起４２としては次の変更例１〜６が考えられる。
［変更例１］
変更例１は、図１１に示すように、フィルタ用仮止め突起４２の傾斜面４２ａを、その仮止め突起４２の全長に亘って形成したものである。
［変更例２］
変更例２は、図１２に示すように、フィルタ用仮止め突起４２の横断面を、四角形状に形成したものである。
［変更例３］
変更例３は、図１３に示すように、フィルタ用仮止め突起４２の横断面を、台形形状に形成したものである。
［変更例４］
変更例４は、図１４に示すように、フィルタ用仮止め突起４２の横断面を、半円形状に形成したものである。
［変更例５］
変更例５は、図１５に示すように、フィルタ用仮止め突起４２の横断面を、Σ字形状に形成したものである。
［変更例６］
変更例６は、図１６に示すように、フィルタ用仮止め突起４２の横断面を、波形形状に形成したものである。
【００２８】
本発明は上記した実施例に限定されるものではなく、本発明の要旨を逸脱しない範囲における変更が可能である。例えば、フィルタ用仮止め突起４２は、リブ状に限定されるものではなく、適宜変更することができる。また、フィルタ用仮止め突起４２の個数、配置位置、形状等は適宜変更することができる。要するに、フィルタ用仮止め突起は、吸着剤室内に遊嵌されたフィルタを仮止めすることができるように、フィルタとの間に抵抗力を付与する機能を有するものであればよい。また、前記実施例では、周壁３６にフィルタ用仮止め突起４２を形成したが、底壁１６上にフィルタ用仮止め突起４２を突出することもできる。また、前記実施例では、ケース本体１３における第１の吸着剤室１７の各分室１７ａ，１７ｂ及び第２の吸着剤室１８の計３つの吸着剤室（各分室を含む）に対するそれぞれのフィルタ２８の組付構造を同一構成としたが、それらの吸着剤室のうちの少なくとも１つのフィルタ２８の組付構造は異なっていてもよい。また、ケース本体１３の吸着剤室の個数は適宜増減することができる。また、本発明は、ケース本体１３に対するフィルタ２８の組付構造だけでなく、カバープレート１４に対するフィルタ２８の組付構造にも適用することができる。
【図面の簡単な説明】
【００２９】
【図１】本発明の一実施例に係るキャニスタを示す正断面図である。
【図２】ケース本体を示す正断面図である。
【図３】ケース本体を示す平面図である。
【図４】図３のIV部を示す平面図である。
【図５】図４のV−V線矢視断面図である。
【図６】ケース本体に対するフィルタのセット中の状態を示す断面図である。
【図７】ケース本体に対するフィルタのセット完了状態を示す平面図である。
【図８】図７のVIII−VIII線矢視断面図である。
【図９】ケース本体に対するフィルタの溶着中の状態を示す断面図である。
【図１０】ケース本体に対するフィルタの溶着完了状態を示す断面図である。
【図１１】フィルタ用仮止め突起の変更例１を示す断面図である。
【図１２】フィルタ用仮止め突起の変更例２を示す平面図である。
【図１３】フィルタ用仮止め突起の変更例３を示す平面図である。
【図１４】フィルタ用仮止め突起の変更例４を示す平面図である。
【図１５】フィルタ用仮止め突起の変更例５を示す平面図である。
【図１６】フィルタ用仮止め突起の変更例６を示す平面図である。
【符号の説明】
【００３０】
１０  キャニスタ
１２  キャニスタケース
１６  底壁（端壁）
１７  第１の吸着剤室
１７ａ，１７ｂ  分室
１８  第２の吸着剤室
２３  タンクポート
２４  パージポート
２５  大気ポート
２７  吸着剤
２８  フィルタ
３６  周壁
４２  フィルタ用仮止め突起
４２ａ  傾斜面
【図１】
2010007573.tif 000003
【図２】
2010007573.tif 000004
【図３】
2010007573.tif 000005
【図４】
2010007573.tif 000006
【図５】
2010007573.tif 000007
【図６】
2010007573.tif 000008
【図７】
2010007573.tif 000009
【図８】
2010007573.tif 000010
【図９】
2010007573.tif 000011
【図１０】
2010007573.tif 000012
【図１１】
2010007573.tif 000013
【図１２】
2010007573.tif 000014
【図１３】
2010007573.tif 000015
【図１４】
2010007573.tif 000016
【図１５】
2010007573.tif 000017
【図１６】
2010007573.tif 000018